(57)【要約】【課題】  ビル内保安器から通信発着信試験を短時間に行えるプラグ、通信発着信試験装置および通信発着信試験方法を提供する。【解決手段】  プラグ３０は、二片の接点バネが接触して導通しているジャック端子に抜き差しされる端子を備えたプラグ３０であって、前記端子３２は、前記プラグ３０が前記ジャック端子に差し込まれると前記接点バネが離れて前記導通を遮断する絶縁体３４を内層に備えるとともに、前記接点バネの一片に接触して前記ジャック端子の一片と導通する導体３６を前記絶縁体３４の外層に備え、前記端子３２を複数備えた構成である。【選択図】    図４
2006121610.tif 000002
【特許請求の範囲】
【請求項１】
二片の接点バネが接触して導通しているジャック端子に抜き差しされる端子を備えたプラグであって、
前記端子は、前記プラグが前記ジャック端子に差し込まれると前記接点バネが離れて前記導通を遮断する絶縁体を内層に備えるとともに、前記接点バネの一片に接触して前記ジャック端子の一片と導通する導体を前記絶縁体の外層に備え、
前記端子を複数備えた、
ことを特徴とするプラグ。
【請求項２】
請求項１に記載のプラグを単数または複数備えたことを特徴とする通信発着信試験装置。
【請求項３】
通信回線を介して交換機と保安器とを接続し、前記保安器に設けられた複数チャンネルの弾器試験ポイントから多チャンネルの通信発着信試験を行う方法であって、
前記弾器試験ポイントのある一点から前記通信回線および前記交換機を介して前記弾器試験ポイントの他点へ接続するペアを複数形成し、試験信号となるトーンを前記ペア毎に周波数をかえて、または前記ペア毎に異なる複数の周波数を組み合わせて供給することを特徴とする通信発着信試験方法。
【請求項４】
通信回線を介して交換機と保安器とを接続し、前記保安器に設けられた弾器試験ポイントから通信発着信試験を行う方法であって、
試験装置に設けられた外部インターフェースを介して試験データを入力し、
前記試験データに基づいて、前記保安器から相手先に接続して通信発着信試験を行い、
前記外部インターフェースを介して当該試験結果を外部に出力する、
ことを特徴とする通信発着信試験方法。
【発明の詳細な説明】
【技術分野】
【０００１】
本発明はプラグ、通信発着信試験装置および通信発着信試験方法に係り、特に通信回線を介して接続した交換機と保安器との間で呼接続動作試験を行うプラグ、通信発着信試験装置および通信発着信試験方法に関する。
【背景技術】
【０００２】
家庭用電話機等の加入者端末１は、図８に示すように、家庭用電話機のモジュラー端子（不図示）、加入者側保安器２、加入者線３を経由して電話局４の加入者線側端子板５に接続されている。この電話局４にはビル内保安器６や交換機７が設けられ、ビル内保安器６は交換機７のチャンネル数に応じて設けられている。そしてビル内保安器６は、交換機電話チャンネル入出力コネクタと設計表に基づいて１対１に配線されている。またビル内保安器６と加入者線側端子板５との間は、交換機７のチャンネルと契約家庭との対応表に基づいて結線されている。
【０００３】
前記ビル内保安器６は、雷対策用のアレスタを備えるとともに、交換機７と加入者線側端子板５との接続を切り分けて試験を行う弾器を備えている。一般に、ビル内保安器６から交換機側を試験する場合、音声１チャンネル毎に弾器から発呼信号を加えてあて先チャンネルに着信させ、またはあて先チャンネルから発呼させてこの試験チャンネルに着信することを確認する。この発着信確認が終わると、次のチャンネルの端子に試験信号を差し替え、同様な試験を繰り返して、全チャンネルを確認する。
【０００４】
これらの煩雑なチャンネル試験を簡易化するために、交換機入出力にリレー回路のマトリクススイッチを持ち、試験信号を１チャンネルごと自動的に発着信試験していくことが一般的に行われてきた。
【０００５】
ところで移動電話の使用を開始するにあたって、その移動電話が正常に機能するかどうかを試験するための通話試験装置として特許文献１に開示された発明がある。また通信回線の接続試験を、発報側交換機と受理側交換機との間で自動的に行う試験方法として特許文献２に開示された発明がある。
【特許文献１】特開平８−３３５９０５号公報
【特許文献２】特開平１０−９８５２８号公報
【発明の開示】
【発明が解決しようとする課題】
【０００６】
しかしながら、交換機にリレー回路を常に搭載するとコストが増加してしまう問題が発生する。また交換機からビル内保安器までの配線ミスは分からないという問題があった。
【０００７】
本発明は、ビル内保安器から通信発着信試験を短時間に行えるプラグ、通信発着信試験装置および通信発着信試験方法を提供することを目的とする。
【課題を解決するための手段】
【０００８】
近年、音声加入者線交換機は、時分割ディジタル交換機からＶｏＩＰ（Ｖｏｉｃｅ  ｏｖｅｒ  Ｉｎｔｅｒｎｅｔ  Ｐｒｏｔｏｃｏｌ）技術を用いた交換機に置き換えられようとしている。ＶｏＩＰ技術を用いた交換機は、入線側が家庭引き込み電話機インターフェースであり、出線側がＩＰ（Ｉｎｔｅｒｎｅｔ  Ｐｒｏｔｏｃｏｌ）インターフェースとなっている。このため交換機を置き換えた場合、音声チャンネルの呼接続試験を行う必要があるが、この音声チャンネルは１つの交換局で２０００〜３０００チャンネル程度あるので、交換局現場試験用に多数の音声チャンネルの呼接続試験を効率良く行う試験装置のニーズが高まっている。
【０００９】
本発明はこのようなニーズに応えるためになされたもので、プラグは、二片の接点バネが接触して導通しているジャック端子に抜き差しされる端子を備えたプラグであって、前記端子は、前記プラグが前記ジャック端子に差し込まれると前記接点バネが離れて前記導通を遮断する絶縁体を内層に備えるとともに、前記接点バネの一片に接触して前記ジャック端子の一片と導通する導体を前記絶縁体の外層に備え、前記端子を複数備えた、ことを特徴としている。
【００１０】
また本発明に係る通信発着信試験装置は、上述したプラグを単数または複数備えたことを特徴としている。
また通信発着信試験方法は、通信回線を介して交換機と保安器とを接続し、前記保安器に設けられた複数チャンネルの弾器試験ポイントから多チャンネルの通信発着信試験を行う方法であって、前記弾器試験ポイントのある一点から前記通信回線および前記交換機を介して前記弾器試験ポイントの他点へ接続するペアを複数形成し、試験信号となるトーンを前記ペア毎に周波数をかえて供給することを特徴としている。この場合、前記トーンは、複数の周波数を組み合わせて形成され、前記ペア毎に異なる前記組み合わせとした構成にできる。
【００１１】
また通信回線を介して交換機と保安器とを接続し、前記保安器に設けられた弾器試験ポイントから通信発着信試験を行う方法であって、試験装置に設けられた外部データインターフェースを介して試験データを入力し、前記試験データに基づいて、前記保安器から相手先に接続して通信発着信試験を行い、前記外部データインターフェースを介して当該試験結果を外部に出力することを特徴としている。
【発明の効果】
【００１２】
ジャック端子（接続端子）は回路の途中に設けられている。このジャック端子にプラグが差し込まれると、プラグの端子によって接点バネが押し広げられる。そしてプラグ端子は絶縁体を導体で挟み込んだ構成なので、端子に設けられた絶縁体によって回路が遮断されるとともに、端子に設けられた導体と接点バネとが接触して導通する。したがってプラグによって回路を遮断できるとともに、プラグに接続された装置と回路との間で信号を入出力することができる。また端子が複数設けられているので、複数チャンネル分のジャック端子が設けられている場合でも、１回のプラグの差し込みによって複数チャンネル分の回路を遮断でき、かつプラグに接続された装置と各チャンネルとの間で信号を入出力することができる。
【００１３】
また通信発着信試験装置は、単数または複数のプラグを備えているので、１回のプラグの差し込み・抜き取り作業によって、通信発着信試験装置と複数チャンネルの通信回線との接続・切断が可能になり、プラグの抜き差し時間を大幅に短縮することができる。またプラグを複数備えることにより、通信発着信試験の１測定サイクルで複数チャンネルの試験能力を備えることができる。
【００１４】
また通信発着信試験方法は、同時に複数チャンネルの通信発着信試験ができるので、試験時間を短縮できる。また複数チャンネルの通信発着信試験に使用する試験信号のトーンは、周波数や周波数の組み合わせをペアごとにかえるので、他のペアとの誤接続を見逃すことがない。したがって正確な通信発着信試験ができる。
【００１５】
また通信発着信試験を行うペアの発信・着信チャンネルの相手先ダイヤル番号表等の試験データは、外部インターフェースに接続された外部端末から入力できるので、試験装置に設けられた操作用キーによりダイヤル番号を入力する場合に比べて、ダイヤル番号を極めて短時間で装置に入力できる。また試験結果を外部端末に出力して、後刻試験結果を整理することができる。
【発明を実施するための最良の形態】
【００１６】
以下に、本発明に係るプラグ、通信発着信試験装置および通信発着信試験方法の最良の実施形態について説明する。まず本実施形態に係る通信発着信試験装置のプラグが差し込まれるビル内保安器の一例について説明する。図１は保安器サブモジュールの平面図である。図２は弾器試験ポイントの説明図であり、図２（ａ）は正面図、同図（ｂ）は断面図を示している。図３は保安器モジュール弾器面の説明図である。ビル内保安器６は、交換機７および加入者線側端子板５と共に電話局４に設けられ、交換機７と加入者線側端子板５との間に設けられている（図８を参照）。このビル内保安器６は保安器モジュール１０を有し、この保安器モジュール１０は、１２８チャンネルを単位として複数個設置されることにより、数千チャンネルの通信回線（電話線等）を収容する。そして保安器モジュール１０は複数の保安器サブモジュール１２を有し、本実施形態の場合、保安器サブモジュール１２が１６個毎に纏められて保安器モジュール１０を構成している。なお図３では、８チャンネルを備えた各保安器サブモジュール１２に０〜１５番のインデックス番号が割振られている。
【００１７】
前記保安器サブモジュール１２は、加入者線側端子板５に接続する端子口１４と交換機７に接続する端子口１６とを備え、これらの端子口１４，１６は弾器試験ポイント１８を介して接続されている。そして端子口１４，１６や弾器試験ポイント１８は、２枚の絶縁板２０を上下に配置したものの縁部に設けられており、前記加入者線側端子板５に接続する配線は各絶縁板２０の一方の面に設けられ、前記交換機７に接続する配線は各絶縁板２０の他方の面に設けられている。
【００１８】
すなわち前記弾器試験ポイント１８には、交換機７に接続する前記配線と加入者線側端子板５に接続する前記配線とが絶縁板２０を挟んで各端子口１４，１６から延設されており、各配線に接続端子（弾器２２）が接続されている。この弾器２２は、１対の接点バネで構成され、交換機７に接続する前記配線と加入者線側端子板５に接続する前記配線とをバネ接点２４で接続させるものであり、弾器２２に試験用のプラグが差し込まれると、このプラグの端子によってバネ接点２４を開放するものである。図２に示す形態では、１チャンネル分の弾器２２が上下に一対配置され、弾器２２同士が対面している側に配置される弾器の一片２２ａは加入者線側端子板５側に接続され、外側に面して配置される弾器の他片２２ｂは交換機７側に接続されている。そして弾器試験ポイント１８には複数チャンネル分の配線が延設されており、この複数チャンネル分の弾器２２が水平方向に並んで配置されている。これらの弾器２２の正面には、前記プラグに設けられた前記端子の差込口２６が設けられている。また加入者線側端子板５に接続する端子口１４の両端には、雷対策用のアレスタ２８が設けられている。
【００１９】
次に、通信発着信試験装置に用いられるプラグについて説明する。図４はプラグの説明図であり、図４（ａ）は平面図、同図（ｂ）は側面図である。通信発着信試験装置に用いられるプラグ３０は弾器試験ポイント１８に挿入されるものであり、弾器試験ポイント１８に設けられているチャンネル数に応じた数の端子３２を備えている。本実施形態の場合、保安器サブモジュール１２は８チャンネルを備えているので、プラグ３０は８チャンネル分の端子３２を備えている。この端子３２は、弾器試験ポイント１８に差し込まれるとバネ接点２４を押し開いて弾器２２と接触するものであり、絶縁体３４の両面に導体３６（３６ａ，３６ｂ）が設けられた構成である。そして加入者線側端子板５側に接続されている弾器の一片２２ａが導体３６ａに接触導通すると同時に、交換機７側に接続されている弾器の他片２２ｂが導体３６ｂに接触導通する。そして本実施形態の場合、プラグ３０が差し込まれると、導体３６ｂに接続されている配線信号が交換機７側に接続されることとなる。
【００２０】
次に、通信発着信試験装置について説明する。図５は通信発着信試験装置の構成を示すブロック図である。なお図５は６４チャンネルを試験する通信発着信試験装置を示しているが、通信発着信試験装置で試験を行うチャンネル数はこの実施形態に限定されることはなく、発着信回路やプラグの数を増やして６４チャンネル以上の試験ができるようにしてもよい。通信発着信試験装置４０は、通信発着信試験を行う試験部４２と、装置の制御を行う制御部５０とを備えている。試験部４２は、試験を行うための演算処理部４４を備えている。この試験用演算処理部４４には、各チャンネルの発信および着信についての正常性をチェックする発着信回路４６が接続されている。この発着信回路４６は、通信発着信試験を平行処理するために、試験用演算処理部４４に複数接続されている。また発着信回路４６は、試験を行うチャンネルに印加するＰＢトーンの周波数またはトーンの組み合わせを可変できるトーン出力部（不図示）を備えている。そして各発着信回路４６には複数のプラグ３０が接続されており、発着信回路４６と端子３２に設けられた導体３６ｂとの間で発信・着信の試験信号が入出力される。ちなみに導体３６ａには、発信・着信の試験信号が発着信回路４６から送られてくることはない。そして複数のプラグ３０が接続されているので、１回のプラグ３０の差込作業で多数のチャンネルと試験装置４０との接続が可能になっている。さらに試験部４２は通信発着信試験の結果（ログ）を保存する記憶部４８を備え、この記憶部４８は試験用演算処理部４４に接続されている。
【００２１】
また制御部５０は、装置の制御を行うための演算処理部５２を備えている。この制御用演算処理部５２は試験用演算処理部４４と接続されている。また制御用演算処理部５２は、装置に試験データ等を入力する操作用キー５４と、試験結果等を表示する表示部５６と、制御プログラム等を保存する記憶部５８と、装置外部と試験データや試験結果等を入出力する外部インターフェース６０とが接続されている。また外部インターフェース６０には、例えば試験データの入力元や試験結果の出力先となるパーソナルコンピュータやメモリカード等（外部端末６２）が接続される。前記試験データは、例えば通信発着信試験のための相手先ダイヤル番号表等であり、前記試験データを外部から入力することにより操作用キー５４で、発信・着信チャンネルとなる相手先ダイヤル番号を入力する必要がなくなる。
【００２２】
次に、通信発着信試験方法について説明する。図６は通信発着信試験方法のフローである。この通信発着信試験方法は、プラグ３０を弾器試験ポイント１８に差し込んだ６４チャンネル内で発信・着信の試験を行うものであり、複数の試験を平行して行うために平行処理されている試験毎にＰＢトーンの周波数やトーンの組み合わせをかえている。まず通信発着信試験装置４０に設けられている複数のプラグ３０をビル内保安器６の弾器試験ポイント１８に差し込む。プラグ３０を差し込むと、端子３２によって弾器２２のバネ接点２４が押し広げられるので、交換機７と加入者線側端子板５との接続が切れ、通信発着信試験装置４０と交換機７とが接続される。これにより交換機７に対して試験信号の挿入・取り出しが可能になる。また外部インターフェース６０に接続された外部端末６２から通信発着信試験装置４０に、試験チャンネルの相手先ダイヤル番号表等の試験データを入力する。
【００２３】
次に、複数設けられた各発着信回路４６は、この回路４６に設けられたリレーマトリクス（不図示）によって１６チャンネル中の２チャンネルを選択し、この２チャンネルについて発信・着信試験が行われる。まず通信発着信試験装置４０の発信チャンネル（前記２チャンネル中の一方のチャンネル）から交換機７にオフフック信号を送出する（Ｓ１００）。交換機７はオフフック信号を受けると、発信チャンネルにダイヤルトーンを送出する。通信発着信試験装置４０は、発信チャンネルで前記ダイヤルトーンを受けたか否かを判断し（Ｓ１１０）、受けていなければ異常と判断する（Ｓ２１０）。また通信発着信試験装置４０は、ダイヤルトーンを受けると発信チャンネルから交換機７へプッシュボタン（ＰＢ）ダイヤル信号を送出する（Ｓ１２０）。
【００２４】
そして通信発着信試験装置４０は、この装置４０の着信チャンネル（前記２チャンネル中の他方のチャンネル）が交換機７から着信音を受けたか否かを判断し（Ｓ１３０）、着信音を受けていなければ異常と判断する（Ｓ２１０）。また通信発着信試験装置４０は、着信チャンネルで着信音を受けると、着信チャンネルから交換機７へオフフック信号を送出する（Ｓ１４０）。交換機７は、このオフフック信号を受けると発信チャンネルに回線電圧リバース信号を出力する。通信発着信試験装置４０は、発信チャンネルで前記回線電圧リバース信号を交換機７から受けたか否かを判断し（Ｓ１５０）、受けていなければ異常と判断する（Ｓ２１０）。通信発着信試験装置４０は、前記回線電圧リバース信号を受けると発信チャンネルから無音を送出し、着信チャンネルで雑音が出ているか否かを判断し（Ｓ１６０）、着信チャンネルに雑音が出ていれば異常と判断する（Ｓ２１０）。
【００２５】
通信発着信試験装置４０は、着信チャンネルに雑音が出ていなければ、発信チャンネルから着信チャンネル宛にＰＢトーン信号を印加する（Ｓ１７０）。そして通信発着信試験装置４０は、着信チャンネルで正しい周波数のトーンが出ているか否か判断し（Ｓ１８０）、正しい周波数のトーンが出ていなければ異常と判断する（Ｓ２１０）。通信発着信試験装置４０は、正しい周波数のトーンが出ていれば、発信チャンネルから交換機７へオンフック信号を送出して試験を終了するとともに（Ｓ１９０）、正常と判断する（Ｓ２００）。
【００２６】
そして通信発着信試験装置４０は、正常判定または異常判定の試験結果のログを記憶部４８に保存して、次のチャンネルの通信発着信試験に移る。保存された前記ログは、試験終了後に外部インターフェース６０を介して外部端末６２に出力されることが可能である。
【００２７】
なお各発着信回路４６は、通信発着信試験を平行して行っているが、仮に発着信回路４６間にまたがって本来試験しているペアでない信号を受けても、本来の試験相手以外の信号を撥ねるようにしている。これは本来試験しているペア毎にＰＢトーンの周波数やトーンの組み合わせをかえているため、異なるペアのトーンを受けても正常とみなすことがないのである。
【００２８】
このように、通信発着信試験装置４０に設けられるプラグ３０は、弾器試験ポイント１８に設けられているチャンネル分の端子３２を備えている。すなわち本実施形態の場合、１つのプラグ３０は８チャンネル分の端子３２を備えている。また通信発着信試験装置４０は複数のプラグ３０を備え、本実施形態の場合、６４チャンネル分と接続可能になっている。したがって１度のプラグ３０を差し込む作業で６４チャンネル分と接続されるので、通信発着信試験の準備作業の時間を短縮することができる。またプラグ３０を取り出す作業時間も短縮することができる。なお従来技術ではプラグに１チャンネル分の端子しか設けられていなかったので、試験装置は１度のプラグの差込作業で１チャンネル分しか接続されなかった。
【００２９】
またプラグ３０が接続されたチャンネル中で通信発着信試験を行うペアを形成するので、１度に２チャンネルの通信発着信試験を行うことができる。またペアを複数形成することで、１度に複数チャンネルの通信発着信試験を行うことができる。したがって通信発着信試験にかかる時間を短縮することができる。さらに複数のペアを形成し、平行して通信発着信試験を行う場合、各ペアに印加される試験信号はＰＢトーンの周波数やトーンの組み合わせがかえられているので、異なるペアの試験信号を受け取って誤診断することがなく、正確な通信発着信試験を行うことができる。
【００３０】
また外部インターフェース６０に接続された外部端末６２から相手先ダイヤル番号表を入力することにより、操作用キー５４を用いてダイヤル番号を通信発着信試験装置４０に入力する必要がなくなる。したがって通信発着信試験を行うペアの送信・着信チャンネルとなる前記ダイヤル番号を極めて短時間で装置４０に登録することができ、現場作業のミスを防止できる。また一連の通信発着信試験が終了したら、試験結果は記憶部４８にログとして残る。このログを外部インターフェース６０に接続された外部端末６２へ出力することにより、現場で検査データを作成する必要がなくなり、前記外部端末６２を事務所等に持ち帰って前記事務所等でまとめて検査データを作成することができる。そして作業結果がログとして残るので検査漏れが無いことを証明することもできる。
【００３１】
そして上記のような通信発着信試験装置４０および試験方法により、通信発着信試験自体にかかる時間は、狭い電話局４において１チャンネルごと試験していた従来技術に比べて１／４以下に短縮でき、試験の準備作業等を含めた通信発着信試験全体にかかる時間は従来に比べて１／１０以下に短縮できた。また交換機７にはリレー回路を常に搭載する必要がないので、リレー回路を設けるためのコストが増加することがない。さらに交換機７からビル内保安器６までの配線ミスを見つけ出すことができる。
【００３２】
なお上述した実施形態では、ビル内保安器６から交換機７側を試験する装置４０について説明したが、プラグ３０の形状は任意にかえることができるので、多チャンネルの交換機をまとめて試験したい場合には、接続コネクタのみ作り直すことで、汎用的に試験装置の使用が可能になる。
【００３３】
なお実施形態によっては、上述した導体３６ｂと発着信回路４６とを接続させた構成と逆にして、すなわちプラグ３０の端子３２に設けられた導体３６ａと回路とを接続して導体３６ａに試験信号を入出力させ、また導体３６ｂに試験信号を入出力させない構成とし、弾器試験ポイント１８から加入者端末１側を試験することもできる。
【００３４】
またプラグ３０は、上述した実施形態の他に、図７に示す形態にすることもできる。すなわちプラグ７０は複数チャンネル分の端子７２を備え、各端子７２は、加入者線側端子板５側に接続されている弾器の一片２２ａと接触する面が絶縁体７４で形成され、交換機７側に接続されている弾器の他片２２ｂと接触する面が導体７６で形成された構成にすることもできる。
【図面の簡単な説明】
【００３５】
【図１】保安器サブモジュールの平面図である。
【図２】弾器試験ポイントの説明図である。
【図３】保安器モジュール弾器面の説明図である。
【図４】プラグの説明図である。
【図５】通信発着信試験装置の構成を示すブロック図である。
【図６】通信発着信試験方法のフローである。
【図７】プラグの変形例を示す側面図である。
【図８】家庭から電話局の交換機までの接続を説明するブロック図である。
【符号の説明】
【００３６】
６………ビル内保安器、７………交換機、１２………保安器サブモジュール、１８………弾器試験ポイント、２２………弾器、３０………プラグ、３２………端子、４０………通信発着信試験装置、４２………試験部、４６………発着信回路、５０………制御部。
【図１】
2006121610.tif 000003
【図２】
2006121610.tif 000004
【図３】
2006121610.tif 000005
【図４】
2006121610.tif 000006
【図５】
2006121610.tif 000007
【図６】
2006121610.tif 000008
【図７】
2006121610.tif 000009
【図８】
2006121610.tif 000010